(57)【要約】      （修正有）【課題】吸収性物品の包装体が什器に陳列された陳列ユニットであって、購買者の心理的抵抗を低減することができる陳列ユニットを提供する。【解決手段】吸収性物品を収容した包装体２と、包装体２を陳列する什器４とを有する陳列ユニット１であって、包装体２の前面には、下記の特定用語と吸収性物品の外観を示す写真またはイラストのいずれも表示されておらず、什器４には、下記の特定用語の少なくとも１つが表示されている。特定用語（同音同義の漢字表記、ひらがな表記、カタカナ表記を含む）：おむつ、おしめ、パッド、ナプキン、ライナー、尿、便、生理、おりもの、トイレ、局部、性器、におい、漏れ、染み、汚れ、吸収、吸水、下着、パンツ、パンティ、ブリーフ、トランクス、ボクサー【選択図】図２
0003208391.tif 000002
【実用新案登録請求の範囲】
【請求項１】
吸収性物品を収容した包装体と、前記包装体を陳列する什器とを有する陳列ユニットであって、
前記包装体の前面には、下記の特定用語と前記吸収性物品の外観を示す写真またはイラストのいずれも表示されておらず、
前記什器には、下記の特定用語の少なくとも１つが表示されていることを特徴とする陳列ユニット。
特定用語（同音同義の漢字表記、ひらがな表記、カタカナ表記を含む）：おむつ、おしめ、パッド、ナプキン、ライナー、尿、便、生理、おりもの、トイレ、局部、性器、におい、漏れ、染み、汚れ、吸収、吸水、下着、パンツ、パンティ、ブリーフ、トランクス、ボクサー
【請求項２】
前記包装体の前面に、前記吸収性物品の製品名またはロゴマークが表示されている請求項１に記載の陳列ユニット。
【請求項３】
前記什器は、吊り下げ什器である請求項１または２に記載の陳列ユニット。
【請求項４】
前記吸収性物品は、おむつ、尿パッドまたはナプキンである請求項１〜３のいずれか一項に記載の陳列ユニット。
【請求項５】
前記吸収性物品は、男性用尿パッドである請求項１〜４のいずれか一項に記載の陳列ユニット。
【考案の詳細な説明】
【技術分野】
【０００１】
本考案は、吸収性物品を収容した包装体を陳列する陳列ユニットに関するものである。
【背景技術】
【０００２】
使い捨ておむつ、尿パッド、生理用ナプキン等の吸収性物品は、通常、包装体の状態で陳列什器に並べて店頭で販売されている。包装体には、内部に収容する製品が何に関するものか外から見て分かるように、「おむつ」、「パッド」、「ナプキン」等の文字表示が付されることが一般的である。例えば特許文献１、２には、そのような包装体あるいは包装袋が開示されている。
【先行技術文献】
【特許文献】
【０００３】
【特許文献１】特開２００５−１７０４３３号公報
【特許文献２】特開２０１２−６６８３９号公報
【考案の概要】
【考案が解決しようとする課題】
【０００４】
しかしながら、吸収性物品を店頭等で購入する場合、購買者によっては、手に取って見ることを躊躇したり、また吸収性物品の包装体をレジまで持って行くことに心理的な抵抗を覚える場合がある。例えば、大人用のおむつの場合は、自らが手に取って買うことに心理的な抵抗を覚えやすく、また男性は吸収性物品を使い慣れていないため、男性用尿パッドを購入する場合に購買者が心理的な抵抗を覚える可能性がある。
【０００５】
本考案は前記事情に鑑みてなされたものであり、その目的は、吸収性物品の包装体が什器に陳列された陳列ユニットであって、購買者の心理的抵抗を低減することができる陳列ユニットを提供することにある。
【課題を解決するための手段】
【０００６】
前記課題を解決することができた本考案の陳列ユニットとは、吸収性物品を収容した包装体と、包装体を陳列する什器とを有する陳列ユニットであって、包装体の前面には、下記の特定用語と吸収性物品の外観を示す写真またはイラストのいずれも表示されておらず、什器には、下記の特定用語の少なくとも１つが表示されているところに特徴を有する。
特定用語（同音同義の漢字表記、ひらがな表記、カタカナ表記を含む）：おむつ、おしめ、パッド、ナプキン、ライナー、尿、便、生理、おりもの、トイレ、局部、性器、におい、漏れ、染み、汚れ、吸収、吸水、下着、パンツ、パンティ、ブリーフ、トランクス、ボクサー
【０００７】
本考案の陳列ユニットによれば、包装体の前面に上記の特定用語や吸収性物品の外観を示す写真またはイラストが表示されていないため、当該包装体がどのような製品に関するものか一目では分かりにくく、購買者が包装体を手に取って見たり買ったりするときの心理的抵抗を低減することができる。一方、包装体に収容されている吸収性物品の用途や使用方法等の情報は、上記の特定用語によって陳列什器に表示されているため、当該表示に基づき購買者が包装体の製品内容を把握することができる。
【０００８】
包装体の前面には、吸収性物品の製品名またはロゴマークが表示されていることが好ましい。これにより、商品としての識別力を包装体に持たせることができ、購買者が商品を間違わずに購入することができる。
【０００９】
什器は、吊り下げ什器であることが好ましい。吊り下げ什器は専用什器として用いることが容易であり、包装体に収容された吸収性物品の用途や使用方法などを購買者に正確に伝えやすくなる。また、什器の表示内容がそこに陳列された包装体に関するものであると購買者が理解しやすい。
【００１０】
吸収性物品としては、おむつ、尿パッド、ナプキンなどが挙げられ、特に男性用尿パッドであることが好ましい。
【考案の効果】
【００１１】
本考案の陳列ユニットによれば、包装体の前面に上記の特定用語や吸収性物品の外観を示す写真またはイラストが表示されていないため、購買者が包装体を手に取って見たり買ったりするときの心理的抵抗を低減することができる。一方、包装体に収容されている吸収性物品の用途や使用方法等の情報は、上記の特定用語によって陳列什器に表示されているため、当該表示に基づき購買者が包装体の製品内容を把握することができる。
【図面の簡単な説明】
【００１２】
【図１】本考案の陳列ユニットの一例を表し、陳列ユニットの斜視図を表す。
【図２】本考案の陳列ユニットの他の一例を表し、陳列ユニットの斜視図を表す。
【考案を実施するための形態】
【００１３】
本考案は、吸収性物品を収容した包装体を陳列する陳列ユニットに関するものである。本考案で用いられる吸収性物品は、尿等の体液を受けることができる物品であれば特に限定されず、おむつ、尿パッド、生理用ナプキン等が挙げられる。
【００１４】
おむつは、着用者の腰回りを囲むように装着されるものであり、ウェスト開口部と一対の脚開口部を有するパンツ形状に形成されたパンツタイプのおむつであってもよく、左右両側に止着部材が設けられ、当該止着部材により着用時にパンツ形状に形成するオープンタイプ（テープタイプ）の使い捨ておむつであってもよい。
【００１５】
尿パッドは、パンツ等の下着に取り付けて用いられたり、おむつの内側に載置して用いられる。尿パッドは、平面状に形成されたものや、男性用尿パッドとしてカップ状に形成されたものなどが挙げられる。なお、男性用尿パッドは、カップ状のものに限定されず、例えば平面状に形成されたものであってもよい。
【００１６】
生理用ナプキンは、女性用のパンティの内側に取り付けて用いられ、通常平面状に形成される。
【００１７】
包装体は、上記に説明したような吸収性物品を容器に収容したものである。包装体に収容される吸収性物品の数は、１個のみであってもよく、複数個であってもよい。吸収性物品は、使用時の形状で（すなわち折り畳まれずに）容器内に収容されてもよく、折り畳まれた状態で容器内に収容されてもよい。また、吸収性物品が個包装され、個包装された吸収性物品が容器内に収容されていてもよい。容器は吸収性物品を収容できるものであれば特に限定されず、例えば、プラスチックフィルム製の袋、紙製の袋、紙製の箱、プラスチック製の硬質容器等が挙げられる。
【００１８】
本考案の陳列ユニットは、吸収性物品を収容した包装体が什器に陳列されている。陳列什器としては、棚、テーブル、ラック、ショーケース等が挙げられる。これらの什器は、固定式であっても、キャスター等が取り付けられた移動式であってもよい。また、自立して設置される自立式であってもよく、他の什器（例えば棚）や壁や天井から吊り下げられる吊り下げ式であってもよい。什器には、吸収性物品の包装体が１個のみ陳列されていてもよく、複数個陳列されていてもよいが、通常は複数個陳列される。
【００１９】
吸収性物品は通常、上記に説明したように容器に収容された包装体として什器に陳列されて販売されているが、購買者によっては、手に取って見ることを躊躇したり、また吸収性物品の包装体をレジまで持って行くことに心理的な抵抗を覚える場合がある。例えば、大人用のおむつの場合は、自らが手に取って買うことに心理的な抵抗を覚えやすく、また男性は吸収性物品を使い慣れていないため、男性用尿パッドを買う場合などにも購買者が心理的な抵抗を覚える可能性がある。
【００２０】
そこで本考案の陳列ユニットでは、包装体に、内部に収容される吸収性物品の情報（特に購買者に心理的な抵抗を与える可能性のある情報）を目立つように表示せず、そのような情報は陳列する什器に表示するようにしている。具体的には、包装体の前面には、下記の特定用語と、内部に収容される吸収性物品の外観を示す写真またはイラストのいずれも表示されておらず、什器には、下記の特定用語の少なくとも１つが表示されている。
【００２１】
特定用語：おむつ、おしめ、パッド、ナプキン、ライナー、尿、便、生理、おりもの、トイレ、局部、性器、におい、漏れ、染み、汚れ、吸収、吸水、下着、パンツ、パンティ、ブリーフ、トランクス、ボクサー。なお、前記特定用語には、同音同義の漢字表記、ひらがな表記、カタカナ表記も含まれ、例えば、「染み」には「しみ」や「シミ」も含まれる。
【００２２】
上記に示した特定用語は、吸収性物品の用途や使用方法を直接想起させるものであり、購買者が心理的な抵抗を覚える可能性がある。また、吸収性物品の外観を示す写真やイラストも、包装体の内部に収容される吸収性物品を直接示すものである。本考案では、そのような特定用語や写真またはイラストを包装体（具体的には包装体の容器）の前面に表示しないことにより、購買者が包装体を手に取って見たり買ったりするときの心理的抵抗を低減することができる。好ましくは、包装体の上面にも、上記の特定用語と吸収性物品の外観を示す写真またはイラストのいずれもが表示されない。
【００２３】
包装体の前面とは、包装体を什器に陳列した際に購買者と対面する側の面を意味し、包装体の前面には、吸収性物品の製品名またはロゴマークが表示されることが好ましい。吸収性物品の製品名やロゴマークとしては、代表的には商標が挙げられる。これにより商品としての識別力を包装体に持たせることができる。より好ましくは、包装体の前面には、吸収性物品の製品名またはロゴマークが包装体の外面の中で最も大きく表示される。この場合、包装体の前面とは、吸収性物品の製品名またはロゴマークが包装体の外面において最も大きく表示される面とすることもできる。包装体の前面には、内部に収容される吸収性物品の製品名とロゴマークの両方が表示されてもよく、どちらか一方のみが表示されてもよい。なお、吸収性物品の製品名またはロゴマークには、上記に説明した特定用語が含まれないものとする。
【００２４】
包装体には、前面以外であれば、上記の特定用語の少なくとも１つが表示されていてもよい。例えば、包装体の側面や後面に、吸収性物品の使用方法を説明するために上記の特定用語が使用されていてもよく、また吸収性物品の製品表示の一部として上記の特定用語が使用されていてもよい。
【００２５】
一方、上記のように包装体の前面に上記の特定用語や吸収性物品の写真またはイラストを表示しない場合、当該包装体がどのような製品を収容したものか購買者にとって分かりづらくなることが懸念される。そこで、包装体を陳列する什器には、上記の特定用語の少なくとも１つを表示させるようにしている。これにより、什器に陳列された包装体がどのような用途に用いられるものか、購買者が理解しやすくなる。包装体を陳列する什器にはさらに、包装体に収容される吸収性物品の写真やイラストが表示されてもよく、また吸収性物品の製品名やロゴマークが表示されてもよい。
【００２６】
什器に表示される上記の特定用語は、什器の外面に表示されたり、また什器に取り付けたＰＯＰ広告等に表示されてもよい。本考案では、什器は包装体の専用什器であることが好ましく、専用什器に上記の特定用語を用いて吸収性物品の製品表示がされることが好ましい。このように専用什器を用いることにより、包装体に収容された吸収性物品の用途や使用方法などを購買者に正確に伝えやすくなる。例えば、吊り下げ什器は専用什器として用いることが容易であり、また什器の表示内容がそこに陳列された包装体に関するものであると購買者が理解しやすいため、好ましく用いられる。
【００２７】
本考案の陳列ユニットは、男性用尿パッドの包装体を陳列するのに好適に用いられる。男性は吸収性物品を使い慣れていないため、上記に説明したように男性用尿パッドの包装体とその陳列什器を構成することにより、購買者が製品内容を正しく理解しつつ、購買時の心理的な抵抗を低減することができる。
【００２８】
次に、本考案の陳列ユニットの例について、図面を参照しながら説明する。図１には、陳列什器として自立式の棚を用いた陳列ユニットの例を示した。図１に示した陳列ユニット１（１Ａ）は、吸収性物品として使い捨ておむつが収容された包装体２と、包装体２を陳列する什器４とを有する。包装体２の前面には、吸収性物品の製品名「ＡＢＣ」が表示されたロゴ３が表示されており、上記に説明した特定用語と吸収性物品の外観を示す写真またはイラストのいずれも表示されていない。一方、什器４には、上記に説明した特定用語として「モレ」と「おむつ」を含む文字表示５が付されている。
【００２９】
図２には、陳列什器として吊り下げ什器が用いられた陳列ユニットの例を示した。図２に示した陳列ユニット１（１Ｂ）は、吸収性物品として男性用尿パッドが収容された包装体２と、包装体２を陳列する什器４とを有する。包装体２の前面には、吸収性物品の製品名「ＸＹＺ」が表示されたロゴ３が表示されており、上記に説明した特定用語と吸収性物品の外観を示す写真またはイラストのいずれも表示されていない。一方、什器４には、上記に説明した特定用語として「尿パッド」を含む文字表示５が表示されている。
【００３０】
図１および図２に示した陳列ユニットによれば、包装体に収容されている吸収性物品の用途や使用方法等の情報が上記の特定用語として陳列什器に表示されているため、当該表示に基づき購買者が包装体の製品内容を把握することができる。一方、包装体には、陳列した状態や手に取ったときに最も目立つ前面に上記の特定用語や吸収性物品の外観を示す写真またはイラストが表示されていないため、当該包装体がどのような製品に関するものか一目では分かりにくい。そのため、購買者が包装体を手に取って見たり購買するときの心理的抵抗を低減することができる。
【符号の説明】
【００３１】
１：  陳列ユニット
２：  包装体
３：  製品名またはロゴマークを示す表示
４：  什器
５：  特定用語を含む文字表示
【図１】
0003208391.tif 000003
【図２】
0003208391.tif 000004